(57)【要約】【課題】本発明は、第三者が記載されたコンテンツの配信元を把握することができ、簡単にコンテンツの収集を行えるプレイリストを作成することができるプレイリスト作成装置およびプレイリスト作成方法を提供することを課題とする。【解決手段】情報記録部１２にコンテンツのデータファイルと配信元を示す配信元情報とを記録させておき、情報記録部１２にデータファイルが記録されているコンテンツ一覧を表示部１３に表示し、表示部１３に表示されたコンテンツ一覧の中からプレイリストに記載するコンテンツを選択するコンテンツ選択入力を操作部１４によって受け付け、データ管理部１６は、情報記録部１２からコンテンツ選択入力によって選択されたコンテンツの配信元情報を読み出し、読み出した配信元情報が記述され、コンテンツ選択入力によって選択されたコンテンツが記載されたプレイリストを作成する。【選択図】        図１
2007207341.tif 000002
【特許請求の範囲】
【請求項１】
再生するコンテンツの一覧が記載されたプレイリストを作成するプレイリスト作成装置であって、
前記コンテンツのデータファイルと当該データファイルが配信された配信元を示す配信元情報とが記録されている情報記録手段と、
該情報記録手段に前記データファイルが記録されているコンテンツ一覧を表示するコンテンツ表示手段と、
該コンテンツ表示手段に表示された前記コンテンツ一覧の中から前記プレイリストに記載する前記コンテンツを選択するコンテンツ選択入力を受け付ける操作手段と、
前記情報記録手段から前記コンテンツ選択入力によって選択された前記コンテンツの前記配信元情報を読み出し、読み出した前記配信元情報が記述され、前記コンテンツ選択入力によって選択された前記コンテンツが記載された前記プレイリストを作成するデータ管理手段とを具備することを特徴とするプレイリスト作成装置。
【請求項２】
前記配信元情報は、前記コンテンツが配信されたサーバのネットワーク上でのアドレスであるアクセス情報を含むことを特徴とする請求項１記載のプレイリスト作成装置。
【請求項３】
再生するコンテンツの一覧が記載されたプレイリストを作成するプレイリスト作成方法であって、
前記コンテンツのデータファイルと当該データファイルが配信された配信元を示す配信元情報とを記録しておき、
前記データファイルを記録している前記コンテンツの一覧を表示し、
表示した前記コンテンツの一覧の中から前記プレイリストに記載する前記コンテンツを選択するコンテンツ選択入力を受け付け、
前記コンテンツ選択入力によって選択された前記コンテンツの前記配信元情報を読み出し、読み出した前記配信元情報を記述し、前記コンテンツ選択入力によって選択された前記コンテンツを記載した前記プレイリストを作成することを特徴とするプレイリスト作成方法。
【請求項４】
前記配信元情報は、前記コンテンツが配信されたサーバの前記ネットワーク上でのアドレスであるアクセス情報を含むことを特徴とする請求項３記載のプレイリスト作成方法。
【請求項５】
再生するコンテンツの一覧が記載されたプレイリストに基づいて、ネットワーク経由で前記プレイリストに記載された前記コンテンツの収集を行うコンテンツ収集装置であって、
前記プレイリストには、前記コンテンツの配信元を示す配信元情報が記述されており、
前記配信元情報に基づいて前記ネットワーク上のサーバにアクセスすることで前記コンテンツを収集するデータ管理手段を具備することを特徴とするコンテンツ収集装置。
【請求項６】
前記配信元情報は、前記コンテンツが配信されたサーバのネットワーク上でのアドレスであるアクセス情報を含むことを特徴とする請求項５記載のコンテンツ収集装置。
【請求項７】
前記コンテンツが記録されている情報記録手段と、
前記プレイリストに基づく前記コンテンツの収集を指示するコンテンツ収集指示入力を受け付ける操作手段と、
前記データ管理手段は、前記操作手段から前記コンテンツ収集指示入力が行われると、前記プレイリストに記載されているが、前記情報記録手段に記録されていない前記コンテンツを不足コンテンツとして特定し、特定した前記不足コンテンツの前記配信元情報に基づいて前記ネットワーク上のサーバにアクセスすることで前記コンテンツを収集することを特徴とする請求項５又は６記載のコンテンツ収集装置。
【請求項８】
再生するコンテンツの一覧が記載されたプレイリストに基づいて、ネットワーク経由で前記プレイリストに記載された前記コンテンツの収集を行うコンテンツ収集方法であって、
前記プレイリストには、前記コンテンツの配信元を示す配信元情報が記述されており、
前記配信元情報に基づいて前記ネットワーク上のサーバにアクセスすることで前記コンテンツを収集することを特徴とするコンテンツ収集方法。
【請求項９】
前記配信元情報は、前記コンテンツが配信されたサーバの前記ネットワーク上でのアドレスであるアクセス情報を含むことを特徴とする請求項８記載のコンテンツ収集方法。
【請求項１０】
前記コンテンツを記録しておき、
前記プレイリストに基づく前記コンテンツの収集を指示するコンテンツ収集指示入力を受け付け、
前記コンテンツ収集指示入力が行われると、前記プレイリストに記載されているが、記録していない前記コンテンツを不足コンテンツとして特定し、特定した前記不足コンテンツの前記配信元情報に基づいて前記ネットワーク上のサーバにアクセスすることで前記コンテンツを収集することを特徴とする請求項８又は９記載のコンテンツ収集方法。
【請求項１１】
再生するコンテンツの一覧が記載されたプレイリストであって、
前記コンテンツの配信元を示す配信元情報が記述されていることを特徴とするプレイリスト。
【請求項１２】
前記配信元情報は、前記コンテンツが配信されたサーバのネットワーク上でのアドレスであるアクセス情報を含むことを特徴とする請求項１１記載のプレイリスト。
【発明の詳細な説明】
【技術分野】
【０００１】
本発明は、再生するコンテンツの一覧が記載されたプレイリストを作成するプレイリスト作成装置およびプレイリスト作成方法に関する。
【背景技術】
【０００２】
近年、映像や音楽等のコンテンツを再生するオーディオプレーヤ等の再生装置においては、コンテンツのデータファイルを記録するデータファイル記録手段としてＨＤＤやシリコンメモリ等の大容量の記録手段が用いられるようになってきており、データファイル記録手段に大量のコンテンツ（データファイル）を記録しておくことができるようになっている。
【０００３】
このように大量に記録されたコンテンツの中から、場所や状況に応じて、ユーザが所望する複数のコンテンツのみを再生する機能としてプレイリストと呼ばれるものがある。プレイリストは、ユーザの好みに応じて選択された複数のコンテンツが記載されたリストであり、コンテンツが記録された場所を示す装置内アドレスやファイル名等が記述され、プレイリストに基づく再生が指示されると、プレイリストに記載された複数のコンテンツが順次再生される。
【０００４】
従来のプレイリストは、再生装置内にコンテンツが記録されていることが前提となっており、他の再生装置で用いることができない。すなわち、プレイリストに記載されているコンテンツが他の再生装置に記録されているとは限らないと共に、プレイリストに記載されているコンテンツが他の再生装置に記録されていたとしても、プレイリストに記述されている装置内アドレスおよびファイル名は、プレイリストが作成された再生装置特有のものであり、他の再生装置においては、プレイリストに記述されている装置内アドレスおよびファイル名で該当するコンテンツが記録されていないため、プレイリストに基づいた再生を行うことができない。
【０００５】
そこで、コンテンツを特定する固有ＩＤを記述することで、複数の再生装置で共用することができる新たなプレイリストが提案されている（例えば、特許文献１参照）。プレイリストに固有ＩＤを記述しておくことで、固有ＩＤに基づいてデータファイル記録手段に記録されたデータファイルを特定して再生することができると共に、データファイル記録手段にデータファイルが記録されていないコンテンツを固有ＩＤに基づいてネットワーク経由で収集して再生することができるようになっている。
【０００６】
しかしながら、従来技術で用いられるプレイリストは、第三者も使用できるようにコンテンツの固有ＩＤが記述されているが、コンテンツの固有ＩＤは、配信元によって任意に付与されており、同一のコンテンツに対して、配信元によって異なる固有ＩＤが付与されている。従って、プレイリストを入手した第三者は、プレイリストの作成者が収集したコンテンツの配信元からコンテンツを収集する必要があるが、第三者は、プレイリストによって配信元を把握することができないため、プレイリストに記載されたコンテンツを収集することができないという問題があった。
【特許文献１】特開２００５−１００６１２号公報
【発明の開示】
【発明が解決しようとする課題】
【０００７】
本発明は斯かる問題点に鑑みてなされたものであり、その目的とするところは、第三者が記載されたコンテンツの配信元を把握することができ、簡単にコンテンツの収集を行えるプレイリストを作成することができるプレイリスト作成装置およびプレイリスト作成方法を提供する点にある。
【課題を解決するための手段】
【０００８】
本発明は上記課題を解決すべく、以下に掲げる構成とした。
本発明のプレイリスト作成装置は、再生するコンテンツの一覧が記載されたプレイリストを作成するプレイリスト作成装置であって、
前記コンテンツのデータファイルと当該データファイルが配信された配信元を示す配信元情報とが記録されている情報記録手段と、
該情報記録手段に前記データファイルが記録されているコンテンツ一覧を表示するコンテンツ表示手段と、
該コンテンツ表示手段に表示された前記コンテンツ一覧の中から前記プレイリストに記載する前記コンテンツを選択するコンテンツ選択入力を受け付ける操作手段と、
前記情報記録手段から前記コンテンツ選択入力によって選択された前記コンテンツの前記配信元情報を読み出し、読み出した前記配信元情報が記述され、前記コンテンツ選択入力によって選択された前記コンテンツが記載された前記プレイリストを作成するデータ管理手段とを具備することを特徴とする。
【０００９】
さらに、本発明のプレイリスト作成装置においては、前記配信元情報は、前記コンテンツが配信されたサーバのネットワーク上でのアドレスであるアクセス情報を含むことを特徴とする。
【００１０】
また、本発明のプレイリスト作成方法は、再生するコンテンツの一覧が記載されたプレイリストを作成するプレイリスト作成方法であって、前記コンテンツのデータファイルと当該データファイルが配信された配信元を示す配信元情報とを記録しておき、前記データファイルを記録している前記コンテンツの一覧を表示し、表示した前記コンテンツの一覧の中から前記プレイリストに記載する前記コンテンツを選択するコンテンツ選択入力を受け付け、前記コンテンツ選択入力によって選択された前記コンテンツの前記配信元情報を読み出し、読み出した前記配信元情報を記述し、前記コンテンツ選択入力によって選択された前記コンテンツを記載した前記プレイリストを作成することを特徴とする。
【００１１】
さらに、本発明のプレイリスト作成方法においては、前記配信元情報は、前記コンテンツが配信されたサーバの前記ネットワーク上でのアドレスであるアクセス情報を含むことを特徴とする。
【００１２】
また、本発明のコンテンツ収集装置は、再生するコンテンツの一覧が記載されたプレイリストに基づいて、ネットワーク経由で前記プレイリストに記載された前記コンテンツの収集を行うコンテンツ収集装置であって、前記プレイリストには、前記コンテンツの配信元を示す配信元情報が記述されており、前記配信元情報に基づいて前記ネットワーク上のサーバにアクセスすることで前記コンテンツを収集するデータ管理手段を具備することを特徴とする。
【００１３】
さらに、本発明のコンテンツ収集装置においては、前記配信元情報は、前記コンテンツが配信されたサーバのネットワーク上でのアドレスであるアクセス情報を含むことを特徴とする。
【００１４】
さらに、本発明のコンテンツ収集装置においては、前記コンテンツが記録されている情報記録手段と、前記プレイリストに基づく前記コンテンツの収集を指示するコンテンツ収集指示入力を受け付ける操作手段と、前記データ管理手段は、前記操作手段から前記コンテンツ収集指示入力が行われると、前記プレイリストに記載されているが、前記情報記録手段に記録されていない前記コンテンツを不足コンテンツとして特定し、特定した前記不足コンテンツの前記配信元情報に基づいて前記ネットワーク上のサーバにアクセスすることで前記コンテンツを収集することを特徴とする。
【００１５】
また、本発明のコンテンツ収集方法は、再生するコンテンツの一覧が記載されたプレイリストに基づいて、ネットワーク経由で前記プレイリストに記載された前記コンテンツの収集を行うコンテンツ収集方法であって、前記プレイリストには、前記コンテンツの配信元を示す配信元情報が記述されており、前記配信元情報に基づいて前記ネットワーク上のサーバにアクセスすることで前記コンテンツを収集することを特徴とする。
【００１６】
さらに、本発明のコンテンツ収集方法においては、前記配信元情報は、前記コンテンツが配信されたサーバの前記ネットワーク上でのアドレスであるアクセス情報を含むことを特徴とする。
【００１７】
さらに、本発明のコンテンツ収集方法においては、前記コンテンツを記録しておき、前記プレイリストに基づく前記コンテンツの収集を指示するコンテンツ収集指示入力を受け付け、前記コンテンツ収集指示入力が行われると、前記プレイリストに記載されているが、記録していない前記コンテンツを不足コンテンツとして特定し、特定した前記不足コンテンツの前記配信元情報に基づいて前記ネットワーク上のサーバにアクセスすることで前記コンテンツを収集することを特徴とする。
【００１８】
また、本発明のプレイリストは、再生するコンテンツの一覧が記載されたプレイリストであって、前記コンテンツの配信元を示す配信元情報が記述されていることを特徴とする。
【００１９】
さらに、本発明のプレイリストにおいては、前記配信元情報は、前記コンテンツが配信されたサーバのネットワーク上でのアドレスであるアクセス情報を含むことを特徴とする。
【発明の効果】
【００２０】
本発明のプレイリスト作成装置およびプレイリスト作成方法は、情報記録手段にコンテンツのデータファイルと当該データファイルが配信された配信元を示す配信元情報とを記録させておき、情報記録手段にデータファイルが記録されているコンテンツ一覧をとしてコンテンツ表示手段に表示し、コンテンツ表示手段に表示されたコンテンツ一覧の中からプレイリストに記載するコンテンツを選択するコンテンツ選択入力を操作手段によって受け付け、データ管理手段は、情報記録手段からコンテンツ選択入力によって選択されたコンテンツの配信元情報を読み出し、読み出した配信元情報が記述され、コンテンツ選択入力によって選択されたコンテンツが記載されたプレイリストを作成するように構成することにより、作成されたプレイリストを入手した第三者は、プレイリストに記述されている配信元情報に基づいて、プレイリストに記載されたコンテンツを収集することができる配信元を簡単に特定して、特定した配信元からコンテンツを収集することができるため、第三者が記載されたコンテンツの配信元を把握することができ、簡単にコンテンツの収集を行えるプレイリストを作成することができるという効果を奏する。
【００２１】
さらに、本発明のプレイリスト作成装置およびプレイリスト作成方法は、配信元情報にコンテンツが配信されたサーバのネットワーク上でのアドレスであるアクセス情報を含むように構成することにより、プレイリストに記述されたアクセス情報によって、配信元にアクセスして簡単にコンテンツを収集することができるという効果を奏する。
【発明を実施するための最良の形態】
【００２２】
以下、本発明の実施の形態を図面に基づいて詳細に説明する。
【００２３】
図１は、本発明に係るプレイリスト作成装置の実施の形態の構成を示すブロック図であり、図２は、図１に示すプレイリスト作成装置で作成されるプレイリスト例を示す図であり、図３は、図１に示す配信元情報記録部に記録されている配信元情報例を示す図である。
【００２４】
本実施の形態のプレイリスト作成装置は、プレイリストを作成するプレイリスト作成機能と、プレイリストに記載されたコンテンツを収集するコンテンツ収集機能を有するオーディオプレーヤ等の再生装置１０であり、図１を参照すると、インターネット等のネットワーク２０に接続可能に構成され、送受信部１１と、情報記録部１２と、表示部１３と、操作部１４と、再生処理部１５と、データ管理部１６とを備え、ネットワーク２０を介してコンテンツを配信する配信元Ａによって設置されたコンテンツ配信サーバ３０ａと、コンテンツを配信する配信元Ｂによって設置されたコンテンツ配信サーバ３０ｂと、第三者が所有するパソコン等の情報処理装置４０とに接続可能に構成されている。
【００２５】
再生装置１０で作成およびコンテンツの収集に用いられるプレイリストは、再生するコンテンツの一覧が記載されたリストであり、図２に示すように、コンテンツを特定する固有ＩＤと、配信元情報とが記述されている。なお、プレイリストに、コンテンツ名、アーティスト名等の書誌データを記述するようにしても良い。配信元情報は、プレイリストに記載されているコンテンツを配信している配信元を特定する配信元特定情報と、プレイリストに記載されているコンテンツを配信したコンテンツ配信サーバ３０ａ、３０ｂのネットワーク２０上でのアドレスを示すアクセス情報とからなり、配信元情報に基づいてプレイリストに記載されている各コンテンツの配信元を特定でき、各コンテンツを収集することができるサーバを特定できるようになっている。なお、図２に示す配信元情報例では、固有ＩＤ「♯♯Ｂ」、「♯♯Ｌ」のコンテンツの配信元が、配信元Ａで、コンテンツ配信サーバ３０ａから配信されたことが示されていると共に、固有ＩＤ「♯♯Ａ」、「♯♯Ｇ」、「♯♯Ｍ」のコンテンツの配信元が、配信元Ｂで、コンテンツ配信サーバ３０ｂから配信されたことが示されている。
【００２６】
送受信部１１は、有線もしくは無線でネットワーク２０に接続する機能を有し、ネットワーク２０を介してコンテンツ配信サーバ３０ａ、３０ｂおよび情報処理装置４０と情報通信を行う機能を有する。
【００２７】
情報記録部１２は、ＨＤＤやシリコンメモリ等の記録手段であり、コンテンツ配信サーバ３０ａ、３０ｂから受信したデータファイルが記録されるデータファイル記録部１２１と、作成したプレイリストやネットワーク２０経由で受信したプレイリストが記録されるプレイリスト記録部１２２と、データファイル記録部１２１にデータファイルが記録されているコンテンツを収集した際の情報が配信元情報として記録される配信元情報記録部１２３とからなる。なお、コンテンツ配信サーバ３０ａ、３０ｂから受信されるデータファイルには、コンテンツを特定する固有ＩＤが含まれているものとし、データファイル記録部１２１には、データファイルと共に、固有ＩＤが記録されている。
【００２８】
配信元情報記録部１２３に記録されている配信元情報は、図３を参照すると、データファイル記録部１２１にデータファイルが記録されている全てのコンテンツの固有ＩＤと、コンテンツを配信した配信元を示す配信元特定情報と、コンテンツを配信したサーバのネットワーク２０上でのアドレスを示すアクセス情報とからなり、データファイル記録部１２１に新たなコンテンツのデータファイルが記録されると、配信元情報記録部１２３に記録されている配信元情報も、新たなコンテンツの情報が書き込まれて更新される。
【００２９】
表示部１３は、液晶ディスプレイ等の表示手段であり、コンテンツに映像データが含まれている場合に、再生処理部１５によって再生された映像が表示されると共に、プレイリスト作成時には、プレイリストに記載するコンテンツを選択するために、データファイル記録部１２１にデータファイルが記録されているコンテンツの一覧が表示され、コンテンツ収集時には、収集に用いられるプレイリストを選択するために、プレイリスト記録部１２２に記録されているプレイリストの一覧が表示される。
【００３０】
操作部１４は、操作ボタン等の操作手段であり、データファイル記録部１２１にデータファイルが記録されているコンテンツの再生操作に関する各種入力が行われると共に、プレイリスト作成時には、コンテンツ一覧の表示を指示するコンテンツ表示指示入力、表示されたコンテンツを選択するコンテンツ選択入力、選択したコンテンツを記載したプレイリストの作成を指示するプレイリスト作成指示入力が行われ、コンテンツ収集時には、プレイリスト一覧の表示を指示するプレイリスト表示指示入力、表示されたプレイリストを選択するプレイリスト選択入力、選択したプレイリストに基づくコンテンツの収集を指示するコンテンツ収集指示入力が行われる。
【００３１】
再生処理部１５は、情報記録部１２のデータファイル記録部１２１に記録されているデータファイルを伸長して再生し、映像は、表示部１３に表示させ、音声は、接続されたヘッドフォン５０に出力する。
【００３２】
データ管理部１６は、情報記録部１２、表示部１３および操作部１４を制御して、データファイル記録部１２１にデータファイルが記録されているコンテンツを選択し、選択したコンテンツが記載されたプレイリストを作成するプレイリスト作成動作を実行すると共に、送受信部１１および情報記録部１２を制御して、ネットワーク２０経由でコンテンツを収集するコンテンツ収集動作を実行する。
【００３３】
次に、本実施の形態のプレイリスト作成動作について図４を参照して詳細に説明する。
図４は、本発明に係るプレイリスト作成装置の実施の形態におけるプレイリスト作成動作を説明するためのフローチャートである。
【００３４】
まず、データ管理部１６は、操作部１４からのコンテンツ表示指示入力を受け付け（ステップＡ１）、コンテンツ表示指示入力を受け付けると、表示部１３に情報記録部１２のデータファイル記録部１２１にデータファイルが記録されているコンテンツの一覧を表示させる（ステップＡ２）。
【００３５】
次に、データ管理部１６は、操作部１４からのコンテンツ選択入力を受け付けると共に（ステップＡ３）、操作部１４からのプレイリスト作成指示入力を受け付ける（ステップＡ４）。
【００３６】
次に、データ管理部１６は、コンテンツ選択入力とプレイリスト作成指示入力とを受け付けると、配信元情報記録部１２３に記録されている配信元情報から、コンテンツ選択入力によって選択されたコンテンツの固有ＩＤと配信元情報とを読み出し（ステップＡ５）、読み出した固有ＩＤと配信元情報とを記述したプレイリストを作成して（ステップＡ６）、作成したプレイリストをプレイリスト記録部１２２に記録させ、プレイリスト作成動作を終了する。
【００３７】
次に、本実施の形態のコンテンツ収集動作について図５および図６を参照して詳細に説明する。
図５は、本発明に係るプレイリスト作成装置の実施の形態におけるコンテンツ収集動作を説明するためのフローチャートであり、図６は、図１に示す配信元情報記録部に記録されている配信元情報例が更新された状態を示す図である。
【００３８】
プレイリスト記録部１２２に記録されているプレイリストの中に、コンテンツ配信サーバ３０ａ、３０ｂや情報処理装置４０等で作成され、ネットワーク２０経由で受信したものが含まれている場合には、プレイリストに記載されているコンテンツのデータファイルがデータファイル記録部１２１に記録されていないことが考えられ、この場合に、プレイリストに基づいてコンテンツを収集するコンテンツ収集動作が行われる。以下、図３に示す配信元情報が配信元情報記録部１２３に記録されており、図２に示すプレイリストに基づいてコンテンツの収集を行うことを想定して説明する。
【００３９】
まず、データ管理部１６は、操作部１４からのプレイリスト表示指示入力を受け付け（ステップＢ１）、プレイリスト表示指示入力を受け付けると、表示部１３にプレイリスト記録部１２２に記録されているプレイリストの一覧を表示させる（ステップＢ２）。
【００４０】
次に、データ管理部１６は、操作部１４からのプレイリスト選択入力を受け付けると共に（ステップＢ３）、操作部１４からのコンテンツ収集指示入力を受け付け（ステップＢ４）、プレイリスト選択入力とコンテンツ収集指示入力とを受け付けると、プレイリスト選択入力によって指定されたプレイリストに基づくコンテンツ収集動作を開始する。なお、コンテンツ収集指示入力は、プレイリストに基づくコンテンツの再生を指示するプレイリスト再生指示入力として受け付けるようにしても良い。
【００４１】
データ管理部１６は、プレイリストと、配信元情報記録部１２３に記録されている配信元情報とを比較することによって、プレイリストに記載されているがデータファイル記録部１２１にデータファイルが記録されていない不足コンテンツを特定し（ステップＢ５）、不足コンテンツが存在するか否かを判断する（ステップＢ６）。本実施の形態では、プレイリストに記載されたコンテンツの中で、配信元情報記録部１２３に記録されている配信元情報に記載されていない固有ＩＤ「♯♯Ｌ」、「♯♯Ｍ」のコンテンツが不足コンテンツとして特定されることになる。なお、本実施の形態では、プレイリストと配信元情報記録部１２３に記録されている配信元情報とを比較することで不足コンテンツを策定するように構成したが、データファイル記録部１２１にデータファイルと共に固有ＩＤを記録しておき、プレイリストとデータファイル記録部１２１に記録されている固有ＩＤとを比較することで、不足コンテンツを特定するようにしても良い。
【００４２】
ステップＢ６で不足コンテンツが存在する場合には、データ管理部１６は、不足コンテンツの配信元特定情報を表示部１３に表示させ（ステップＢ７）、操作部１４から収集を実行するか否かを指示する入力を受け付ける（ステップＢ８）。本実施の形態では、不足コンテンツとして特定された固有ＩＤ「♯♯Ｌ」、「♯♯Ｍ」のコンテンツの配信元Ａおよび配信元Ｂが表示部１３に表示され、ユーザは、表示部１３に表示された配信元Ａおよび配信元Ｂを確認することで、収集を実行するか否かを判断することになる。なお、本実施の形態のように配信元が異なる複数の不足コンテンツが特定された場合には、配信元毎に収集を実行するか否かを指示する入力を行えるようにすると好適である。
【００４３】
ステップＢ８で操作部１４から収集を実行することを指示する入力が行われると、データ管理部１６は、プレイリストに記載されている不足コンテンツのアクセス情報に基づいてコンテンツ配信サーバ３０ａ、３０ｂにアクセスすることで、不足コンテンツのデータファイルを収集する（ステップＢ９）。本実施の形態では、固有ＩＤ「♯♯Ｌ」のコンテンツのアクセス情報に基づいてコンテンツ配信サーバ３０ａにアクセスすることで、固有ＩＤ「♯♯Ｌ」のコンテンツのデータファイルを収集し、固有ＩＤ「♯♯Ｍ」のコンテンツのアクセス情報に基づいてコンテンツ配信サーバ３０ｂにアクセスすることで、固有ＩＤ「♯♯Ｍ」のコンテンツのデータファイルを収集することになる。
【００４４】
次に、データ管理部１６は、収集した不足コンテンツのデータファイルをデータファイル記録部１２１に記録させると共に（ステップＢ１０）、配信元情報記録部１２３に記録されている配信元情報を更新して（ステップＢ１１）、コンテンツ収集動作を終了する。図６には、固有ＩＤ「♯♯Ｌ」、「♯♯Ｍ」のコンテンツのデータファイルがデータファイル記録部１２１に新たに記録され、配信元情報記録部１２３に記録されている配信元情報に固有ＩＤ「♯♯Ｌ」、「♯♯Ｍ」のコンテンツの情報が書き込まれて更新された例が示されている。
【００４５】
以上説明したように、本実施の形態によれば、情報記録部１２にコンテンツのデータファイルと当該データファイルが配信された配信元を示す配信元情報とを記録させておき、情報記録部１２にデータファイルが記録されているコンテンツ一覧を表示部１３に表示し、表示部１３に表示されたコンテンツ一覧の中からプレイリストに記載するコンテンツを選択するコンテンツ選択入力を操作部１４によって受け付け、データ管理部１６は、情報記録部１２からコンテンツ選択入力によって選択されたコンテンツの配信元情報を読み出し、読み出した配信元情報が記述され、コンテンツ選択入力によって選択されたコンテンツが記載されたプレイリストを作成するように構成することにより、作成されたプレイリストを入手した第三者は、プレイリストに記述されている配信元情報に基づいて、プレイリストに記載されたコンテンツを収集することができる配信元を簡単に特定して、特定した配信元からコンテンツを収集することができるため、第三者が記載されたコンテンツの配信元を把握することができ、簡単にコンテンツの収集を行えるプレイリストを作成することができるという効果を奏する。
【００４６】
さらに、本実施の形態によれば、配信元情報にコンテンツが配信されたサーバのネットワーク２０上でのアドレスであるアクセス情報を含むように構成することにより、プレイリストに記述されたアクセス情報によって、配信元にアクセスして簡単にコンテンツを収集することができるという効果を奏する。
【００４７】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００４８】
【図１】本発明に係るプレイリスト作成装置の実施の形態の構成を示すブロック図である。
【図２】図１に示すプレイリスト作成装置で作成されるプレイリスト例を示す図である。
【図３】図１に示す配信元情報記録部に記録されている配信元情報例を示す図である。
【図４】本発明に係るプレイリスト作成装置の実施の形態におけるプレイリスト作成動作を説明するためのフローチャートである。
【図５】本発明に係るプレイリスト作成装置の実施の形態におけるコンテンツ収集動作を説明するためのフローチャートである。
【図６】図１に示す配信元情報記録部に記録されている配信元情報例が更新された状態を示す図である。
【符号の説明】
【００４９】
１０  再生装置
１１  送受信部
１２  情報記録部
１３  表示部
１４  操作部
１５  再生処理部
１６  データ管理部
２０  ネットワーク
３０ａ  コンテンツ配信サーバ
３０ｂ  コンテンツ配信サーバ
４０  情報処理装置
５０  ヘッドフォン
１２１  データファイル記録部
１２２  プレイリスト記録部
１２３  配信元情報記録部
【図１】
2007207341.tif 000003
【図２】
2007207341.tif 000004
【図３】
2007207341.tif 000005
【図４】
2007207341.tif 000006
【図５】
2007207341.tif 000007
【図６】
2007207341.tif 000008